【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
シート上に形成されたトナーを加熱することによりシート上のトナー像を定着する定着装置であって、
熱によってシート上のトナー像を定着する定着部と、
前記定着部を加熱するように磁束を発生する磁束発生部と、
前記定着部と前記磁束発生部との間で前記磁束発生部が発生する磁束を遮蔽する磁束遮蔽部と、
前記磁束遮蔽部を支持する支持部と、
シート搬送方向と直交するシート幅方向に前記支持部を移動させる移動手段と、
前記シート幅方向のシートサイズに基づいて、前記磁束遮蔽部を前記シート幅方向の端部位置に移動させるように前記移動手段を制御する制御手段と、
前記支持部に支持され、前記定着部にシートをガイドするシートガイド部材と、
を有することを特徴とする定着装置。
【請求項２】
前記磁束遮蔽部は、前記シート幅方向に一対で設けられたことを特徴とする請求項１に記載の定着装置。
【請求項３】
前記移動手段は、
リードスクリュー部材と、
前記リードスクリュー部材を回転させる駆動源と、
を有することを特徴とする請求項１または請求項２に記載の定着装置。
【請求項４】
前記シートガイド部材の少なくとも一部は、前記磁束遮蔽部よりもシート幅方向のシートの中心に向かって内側に延びていることを特徴とする請求項１〜３のいずれか１項に記載の定着装置。
【請求項５】
前記移動手段は、前記シートガイド部材がシート幅方向のシートの端部をガイドする位置となるように前記支持部を移動させることを特徴とする請求項１〜４のいずれか１項に記載の定着装置。
【請求項６】
前記移動手段は、前記磁束遮蔽部を、使用可能な最大幅のシートのシート幅方向のシートの端部と、使用可能な最小幅のシートのシート幅方向のシートの端部との間をシート幅方向に移動させることを特徴とする請求項１〜５のいずれか１項に記載の定着装置。
【請求項７】
前記シートガイド部材は、前記磁束遮蔽部が使用可能な最大幅のシートのシート幅方向のシートの端部の外側に配置された状態でも前記使用可能な最大幅のシートのシート幅方向のシートの端部と、使用可能な最小幅のシートのシート幅方向のシートの端部との間でシートを前記定着部にガイドすることを特徴とする請求項６に記載の定着装置。
【請求項８】
前記制御手段は、前記磁束遮蔽部がシート幅方向のシートの端部の外側にあるとき、シート幅方向の端部に位置するように前記移動手段を制御することを特徴とする請求項１〜７のいずれか１項に記載の定着装置。
【請求項９】
シート上のトナー像を定着する定着装置であって、
磁束を発生する磁束発生部と、
前記磁束発生部が発生する磁束により発熱し、熱によりシート上のトナー像を定着する定着部と、
前記磁束発生部から前記定着部に向かう磁束を制限する磁束制限部と、
シートをガイドするシートガイド部材と、
前記磁束制限部と、前記シートガイド部材とをシート搬送方向と直交するシート幅方向に一体的に移動させる移動手段と、
を有することを特徴とする定着装置。
【請求項１０】
前記磁束制限部は、前記シート幅方向に一対で設けられたことを特徴とする請求項９に記載の定着装置。
【請求項１１】
前記磁束制限部と、前記シートガイド部材とが設けられた支持部を有し、
前記移動手段は、
リードスクリュー部材と、
前記リードスクリュー部材を回転させる駆動源と、
を有し、
前記リードスクリュー部材と係合するネジ部が前記支持部に設けられており、
前記リードスクリュー部材が前記駆動源によって回転されると、前記支持部は、前記リードスクリュー部材に沿ってシート幅方向に移動することを特徴とする請求項９または請求項１０に記載の定着装置。
【請求項１２】
前記シートガイド部材の少なくとも一部は、前記磁束制限部よりもシート幅方向のシートの中に向かって内側に延びていることを特徴とする請求項９〜１１のいずれか１項に記載の定着装置。
【請求項１３】
前記移動手段は、前記シートガイド部材がシート幅方向のシートの端部をガイドする位置となるように前記シートガイド部材を移動させることを特徴とする請求項９〜１２のいずれか１項に記載の定着装置。
【請求項１４】
前記移動手段は、前記磁束制限部を、使用可能な最大幅のシートのシート幅方向のシートの端部と、使用可能な最小幅のシートのシート幅方向のシートの端部との間をシート幅方向に移動させることを特徴とする請求項９〜１３のいずれか１項に記載の定着装置。
【請求項１５】
前記シートガイド部材は、前記磁束制限部が使用可能な最大幅のシートのシート幅方向のシートの端部の外側に配置された状態でも前記使用可能な最大幅のシートのシート幅方向のシートの端部と、使用可能な最小幅のシートのシート幅方向のシートの端部との間でシートを前記定着部にガイドすることを特徴とする請求項９〜１４のいずれか１項に記載の定着装置。
【請求項１６】
前記移動手段は、前記磁束制限部がシート幅方向のシートの端部よりも外側にあるとき、前記磁束制限部をシート幅方向の端部に位置するように移動させることを特徴とする請求項９〜１５のいずれか１項に記載の定着装置。
【請求項１７】
前記定着部は、導電層を有することを特徴とする請求項１〜１６のいずれか１項に記載の定着装置。
【請求項１８】
前記定着部は、導電層を有する、回転可能なベルトを有することを特徴とする請求項１〜１６のいずれか１項に記載の定着装置。
【請求項１９】
前記シートガイド部材は、フッ素でコーティングされていることを特徴とする請求項１〜１８のいずれか１項に記載の定着装置。
【請求項２０】
前記移動手段は、前記シート幅方向のシートサイズに基づいて、前記磁束制限部を前記シート幅方向の端部位置に移動させることを特徴とする請求項９〜１９のいずれか１項に記載の定着装置。
【請求項２１】
シート上に未定着トナー像を形成する画像形成手段と、
前記画像形成手段によりシートに形成されたトナー像を定着する請求項１〜２０のいずれか１項に記載の定着装置と、
を有することを特徴とする画像形成装置。
【手続補正２】
【補正対象書類名】明細書
【補正対象項目名】００１５
【補正方法】変更
【補正の内容】
【００１５】
前記目的を達成するための本発明に係る定着装置の代表的な構成は、シート上に形成されたトナーを加熱することによりシート上のトナー像を定着する定着装置であって、熱によってシート上のトナー像を定着する定着部と、前記定着部を加熱するように磁束を発生する磁束発生部と、前記定着部と前記磁束発生部との間で前記磁束発生部が発生する磁束を遮蔽する磁束遮蔽部と、前記磁束遮蔽部を支持する支持部と、シート搬送方向と直交するシート幅方向に前記支持部を移動させる移動手段と、前記シート幅方向のシートサイズに基づいて、前記磁束遮蔽部を前記シート幅方向の端部位置に移動させるように前記移動手段を制御する制御手段と、前記支持部に支持され、前記定着部にシートをガイドするシートガイド部材と、を有することを特徴とする。
【手続補正３】
【補正対象書類名】明細書
【補正対象項目名】００２０
【補正方法】変更
【補正の内容】
【００２０】
図１において、Ｙ，Ｃ，Ｍ，Ｋはそれぞれイエロー、シアン、マゼンタ、ブラックの各色のトナー画像（トナー像）を形成する４つの画像形成ユニットであり、図１の下方から上方に向かって順に配列してある。
【手続補正４】
【補正対象書類名】明細書
【補正対象項目名】００３１
【補正方法】変更
【補正の内容】
【００３１】
中間転写ベルト26の外周面上に形成されたトナー画像は、二次転写ローラ34に図示しないバイアス電源により印加されるトナーと逆極性の転写バイアス電圧により、シートＰ上に一括転写される。画像形成ユニットＹ，Ｃ，Ｍ，Ｋ、中間転写ベルト26および二次転写ローラ34によってシートＰに未定着トナー画像Ｔ（未定着トナー像）を形成する画像形成手段が構成される。二次転写後に中間転写ベルト26の外周面上に残留したトナーはクリーニング装置35により掻き取られて除去される。
【手続補正５】
【補正対象書類名】明細書
【補正対象項目名】００３６
【補正方法】変更
【補正の内容】
【００３６】
定着ベルト１に対向して加圧ローラ２と反対側には定着ベルト１に内蔵される金属層を電磁誘導加熱する電磁誘導加熱手段となる励磁コイル38（磁束発生部）が配置されている。尚、電磁誘導加熱とは、定着ベルト１に内蔵される金属層（導電層）の周りに励磁コイル38に印加された高周波により発生する磁界の変化を与えると該金属層（導電層）には磁界の変化に応じた電流が流れ、ジュール熱が発生することで定着ベルト１が加熱される。
【手続補正６】
【補正対象書類名】明細書
【補正対象項目名】００３７
【補正方法】変更
【補正の内容】
【００３７】
また、ステー４の励磁コイル38側には、該励磁コイル38から発生する磁束を遮蔽する磁束遮蔽手段となる磁束遮蔽コア５（磁束遮蔽部、磁束制限部）が設けられている。磁束遮蔽コア５は誘導加熱による定着ベルト１の温度上昇を防止する。
【手続補正７】
【補正対象書類名】明細書
【補正対象項目名】００３９
【補正方法】変更
【補正の内容】
【００３９】
そして、励磁コイル38によって発生した磁界が定着ベルト１の金属層（導電層）以外に実質的に漏れないように該励磁コイル38を覆う外側磁性体コア11と、それらを電気絶縁性を有する樹脂によって支持するコイル保持部材13（支持部）を有して構成される。
【手続補正８】
【補正対象書類名】明細書
【補正対象項目名】００６９
【補正方法】変更
【補正の内容】
【００６９】
図３及び図８に示すように、定着装置Ａの両端部に設けられたコイル保持部材13には軸受部13ａ，13ｂに回転可能に軸支されたリードネジ部材50が設けられている。リードネジ部材50（リードスクリュー部材）はシート搬送方向と直交する方向に配置され、左右に互いに逆方向の雄ネジ部50ａ，50ｂが形成されている。
【手続補正９】
【補正対象書類名】明細書
【補正対象項目名】００８０
【補正方法】変更
【補正の内容】
【００８０】
磁束遮蔽部材52は、図６（ａ）に示すように、使用されるシートＰの最大サイズのシート幅Ｗ１の領域外に配置される。このとき、磁束遮蔽部材52は外側磁性体コア11と定着ベルト１とが対面する領域から外れた位置にある。これにより、図６（ｂ）に示すように、定着ベルト１は使用されるシートＰの最大サイズのシート幅Ｗ１（使用可能な最大幅）に対応した発熱分布を確保することが出来る。図６（ａ）に示されるスライド部材51の位置を初期位置（ホームポジション）とする。
【手続補正１０】
【補正対象書類名】明細書
【補正対象項目名】００８１
【補正方法】変更
【補正の内容】
【００８１】
次に、図７を用いて、使用されるシートＰの最小サイズのシート幅Ｗ２（使用可能な最小幅）に対する磁束遮蔽部材52による磁束調整方法について説明する。図６（ａ）に示すホームポジションから制御部103によりモータ７を所定方向に回転駆動してリードネジ部材50を所定方向に回転させる。これにより一対のスライド部材51を互いに中央側に近付くように図７（ａ）の矢印Ｅ方向に移動する。